(57)【特許請求の範囲】
【請求項１】
Ｔバーの頭部に引っ掛かる取付具をエンド部に有する設備本体と、前記Ｔバーの垂直片に設けられた係止孔に係合して前記設備本体の側方移動を防止する弾性体よりなる位置決め具と、前記Ｔバーの頭部下面に突き当たることにより前記設備本体の浮上りを防止する浮上り防止具とを備えたシステム天井用設備において、前記浮上り防止具を前記位置決め具に一体的に設け、前記位置決め具の前記Ｔバーの前記係止孔からの離脱状態では前記浮上り防止具が前記Ｔバーの前記頭部下面の下方投影範囲外に位置することを特徴とするシステム天井用設備。
【請求項２】
前記位置決め具は略くの字形をなし、前記浮上り防止具は前記略くの字形の中央折曲部近傍が前記係止孔に係合した状態で、前記Ｔバーの前記垂直片に略沿うように形成されている請求項１記載のシステム天井用設備。
【発明の詳細な説明】
【０００１】
【発明の属する技術分野】
この発明は、システム天井用照明器具等のシステム天井用設備に関するものである。
【０００２】
【従来の技術】
平行する２本のＴバーの間の予め決められた位置に設備、例えば照明器具を設置する場合、例えば図５に示す照明器具５３のエンド部に設けた取付具５４をＴバー５１の頭部に引っ掛けて取付けるとともに、位置決め具５０がＴバー５１の係止孔５２に挿入されて位置決めが完了するように構成している。その一方、地震が発生した場合に照明器具５３がＴバー５１から外れないように、通常システム天井用の照明器具５３にはＴバー５１からの浮上りを防止するための浮上り防止構造として爪５５が設けられている。
【０００３】
従来、この浮上り防止機能は図６に示すように、位置決め具５０とは別の位置の取付具５４に設けられて図６（ｂ）のように係合していたため、その照明器具５３を外そうとした場合、位置決め具５０をＴバー５１から外し、さらに浮き上がり防止爪５５を外すということになり、２回の行為が必要であった。
【０００４】
【発明が解決しようとする課題】
しかし、この照明器具５３を簡単に移動できることを前提とした天井では、照明器具５３をＴバー５１から外すのに必要な行為は、できるだけ少ない方が望ましい。
したがって、この発明の目的は、Ｔバーの取外し時に１回の作業で位置決め機能と浮上り防止機能を解除することができるシステム天井用設備を提供することである。
【０００５】
【課題を解決するための手段】
請求項１記載のシステム天井用設備は、Ｔバーの頭部に引っ掛かる取付具をエンド部に有する設備本体と、前記Ｔバーの垂直片に設けられた係止孔に係合して前記設備本体の側方移動を防止する弾性体よりなる位置決め具と、前記Ｔバーの頭部下面に突き当たることにより前記設備本体の浮上りを防止する浮上り防止具とを備えたシステム天井用設備において、前記浮上り防止具を前記位置決め具に一体的に設け、前記位置決め具の前記Ｔバーの前記係止孔からの離脱状態では前記浮上り防止具が前記Ｔバーの前記頭部下面の下方投影範囲外に位置することを特徴とするものである。
【０００６】
請求項１記載のシステム天井用設備によれば、浮上り防止具を位置決め具に設けるようにしたため、設備を取り外すのに従来２回の行為が必要であったのに対し、１回の行為で可能になるため、設備を外すのに必要な人および時間が削減できる。
請求項２記載のシステム天井用設備は、請求項１において、前記位置決め具が略くの字形をなし、前記浮上り防止具は前記略くの字形の中央折曲部近傍が前記係止孔に係合した状態で、前記Ｔバーの前記垂直片に略沿うように形成されているものである。
【０００７】
請求項２記載のシステム天井用設備によれば、請求項１と同様な効果がある。
【０００８】
【発明の実施の形態】
この発明の一実施の形態を図１から図４により説明する。すなわち、このシステム天井用設備が照明器具であり、この照明器具は水平片１２に対する垂直片１に係止孔２のあるシステム天井用のＴバー３に取付けている。この照明器具は、設備本体となる器具本体４と、位置決め部５と、浮上り防止具６とを有する。
【０００９】
器具本体４は、Ｔバー３の頭部１１に引っ掛かる取付具７をエンド部８に有する。
位置決め具５は、Ｔバー３の垂直片１に設けられた係止孔２に係合して器具本体４の側方移動を防止する弾性体よりなる。実施の形態の位置決め具５は略くの字形をなすもので、ばね性を有する帯状の金属板の上端側をくの字形に屈曲し、下端をＵ字形に折返して取付片１３を形成し、その略中央に取付孔９を形成している。位置決め具５の下端をエンド部８の内面に当て取付孔９を通して取付具（図示せず）によりエンド部８に位置決め具５を取付けている。
【００１０】
浮上り防止具６は、Ｔバー３の頭部１１の下面に突き当たることにより器具本体４の浮上りを防止するもので、浮上り防止具６を位置決め具５に一体的に設け、位置決め具５のＴバー３の係止孔２からの離脱状態では、図３に示すように浮上り防止具６がＴバー３の頭部１１の下面の下方投影範囲Ｘの外に位置するようにしている。実施の形態の浮上り防止具６は図１に示すように位置決め具５の略くの字形の中央折曲部５ａの近傍が係止孔２に係合した状態で、Ｔバー３の垂直片１に略沿うように、くの字形の上側斜片５ｂに切起こしにより、形成している。
【００１１】
上記のように、位置決め具５は器具本体４のエンド部８に取付けられており、Ｔバー３の頭部１１に取付具７を引っ掛けて仮乗せした状態では、図３に示すように位置決め具５のくの字形の先端（中央折曲部５ａ）がＴバー３の垂直片１に当たっている。そして器具本体４を側方移動すなわち横にスライドさせると、ばね性の位置決め具５は自動的にＴバー３の角穴の係止孔２に入り、位置決め完了となる。この状態のとき、図１に示すように、位置決め具５の略くの字形の先端付近に設けられた浮上り防止具６はＴバー３の頭部１１の下面に位置する。
【００１２】
ここで、図１に示すように浮上り防止具６の先端とＴバー３の頭部１１の下面との間に寸法ａのスペースがある場合、位置決め具５の斜め上がりの上側斜片５ｂと係止孔２の上端が接するほど近い（イ点）と、すなわち係止孔２の上端が図１のイ点にある場合、例えば図４に示すように器具本体４が浮き上がったとき斜片５ｂが係止孔２の上端をスライドして自動的に位置決め具５が器具本体４側に引っ込んで、位置決め具５の浮上り防止具６がＴバー３の頭部１１の下面より外れてしまう。そのため、Ｔバー３の頭部１１の下面に浮上り防止具６の上端が当たるまでその斜め上がりの斜片５ｂが係止孔２の上端に当たらないように、係止孔２の上端は斜片５ｂよりも寸法ａ以上、上の位置（ロ点）にあるようにしている。このことにより、実施の形態の位置決め具５は器具本体４の浮上り防止具６が確実に機能を果たしているのである。つぎに照明器具をＴバー３から外そうとした場合、位置決め具５のくの字形の折曲部５ａをＴバー３から抜くように斜片５ｂの上端または折曲部５ａを押すと、位置決め機能は解除される。また、図３に示すように、位置決め具５の先端（５ａ）の近傍の寸法Ａ離れた位置にある浮上り防止具６の位置と、Ｔバー３頭部１１の垂直片１からの突出量の寸法Ｂの関係がＡ＞Ｂであることにより、位置決めを解除したと同時に浮上り防止をも解除できるのである。
【００１３】
なお、設備は照明器具の場合について説明したが、他の器具等でもよい。
【００１４】
【発明の効果】
請求項１記載のシステム天井用設備によれば、浮上り防止具を位置決め具に設けるようにしたため、設備を取り外すのに従来２回の行為が必要であったのに対し、１回の行為で可能になるため、設備を外すのに必要な人および時間が削減できる。
【００１５】
請求項２記載のシステム天井用設備によれば、請求項１と同様な効果がある。
【図面の簡単な説明】
【図１】この発明の一実施の形態のＴバーに照明器具を取付けた状態の部分断面図である。
【図２】取付具を示し、（ａ）はその斜視図、（ｂ）は側面図である。
【図３】照明器具をＴバーに仮乗せした状態の部分断面図である。
【図４】係止孔の上端がイ点に位置するときに器具が持ち上がった状態の部分断面図である。
【図５】従来例の部分斜視図である。
【図６】（ａ）は従来例の位置決め状態の部分断面図、（ｂ）は取付具の係合状態の部分断面図である。
【符号の説明】
１    垂直片
２    係止孔
３    Ｔバー
４    器具本体
５    位置決め具
５ａ    折曲部
６    浮上り防止具
７    取付具
８    エンド部
１１    頭部
【図１】
0003702664.tif 000002
【図２】
0003702664.tif 000003
【図３】
0003702664.tif 000004
【図４】
0003702664.tif 000005
【図５】
0003702664.tif 000006
【図６】
0003702664.tif 000007